(57)【要約】本発明はコンテナーロックレバー防犯装置を開示し、リベットが破壊された後にもハンドルがハンドル台から外れることを有効に防ぐことができ、内蔵構造の採用によりその構造に対する破壊が出来ない様にし、コンテナーの安全性を高める。その中、ハンドルの先端のリベット穴のそばに前述のハンドル台の側壁と対応した面にボスが設けられており、前述のハンドル台の側壁の内側に前述のハンドルのボスをハンドル台の内腔に入らせるガイド凹溝が開けられており、前述のハンドル台の側壁の内側に前述のハンドルが前述のハンドル台にかしめられた後に前述のボスをリベットを軸にして回転させる為の回転溝も開けられており、前述のガイド凹溝と前述の回転溝は連通しており、前述のリベットでハンドルとハンドル台をかしめる時に、前述のボスは前述のガイド凹溝から外れて回転溝に入り、コンテナーがロックされた時に、前述のハンドルのもう一端はボスを連れて回転溝内を一定の角度を回転させてから固定される。【選択図】  図１０
2010513153.tif 000002
【特許請求の範囲】
【請求項１】
コンテナーのドアに取り付け、ロックレバー、ハンドル台、リベット、ハンドル、ブラケット台及びブラケットカバーを含み、このハンドル台はＵ字型部材または鞘状部材により構成され、この部材にはハンドルの先端を差し込む一つの内腔が設けられており、内腔に対応する両側壁の面にリベット穴が設けられており、前述の両側壁の一端はドアのロックレバーに固接され、このハンドルの先端にハンドル台とヒンジ連結するリベット穴が設けられており、コンテナーがロックされた時に、前述のハンドルの先端はハンドル台の内腔に差し込み、またリベットを介してこのハンドル台にかしめられ、ハンドルのもう一端はブラケット台とブラケットカバーの間に留められているコンテナーロックレバー防犯装置であって、
ハンドルの先端のリベット穴のそばに前述のハンドル台の側壁と対応する面にボスが設けられており、
前述のハンドル台の側壁の内側に前述のハンドルのボスをハンドル台の内腔に入らせるガイド凹溝が開けられており、
前述のハンドル台の側壁の内側には前述のハンドルが前述のハンドル台にかしめられた後に前述のボスをリベットを軸にして回転させる為の回転溝も開けられており、
前述のガイド凹溝と前述の回転溝は連通しており、
前述のリベットでハンドルとハンドル台をかしめる時に、前述のボスは前述のガイド凹溝から外れて回転溝に入り、コンテナーがロックされた時に、前述のハンドルのもう一端はボスを連れて回転溝内を一定の角度を回転させてから固定されることを特徴とするコンテナーロックレバー防犯装置。
【請求項２】
請求項１に記載のコンテナーロックレバー防犯装置において、前述のハンドルの先端のリベット穴のそばに前述のハンドル台の側壁と対応した両面ともに前述のボスが設けられ、前述のハンドル台の側壁の二つの内側ともに前述のボスと係合するガイド凹溝及び回転溝が設けられておることを特徴とする装置。
【請求項３】
請求項１または２に記載のコンテナーロックレバー防犯装置において、前述のハンドルの先端のリベット穴のそばに前述のハンドル台の側壁と対応した面に二つ以上の前述のボスが設けられ、前述のハンドル台の側壁の内側に前述のボスと係合するガイド凹溝及び回転溝が設けられておることを特徴とする装置。
【請求項４】
請求項１または２に記載のコンテナーロックレバー防犯装置において、前述の回転溝は前述のハンドル台のリベット穴側に溝壁がないことを特徴とする装置。
【請求項５】
請求項１または２に記載のコンテナーロックレバー防犯装置において、前述のガイド凹溝の入り口はハンドル台の側面壁の内側にコンテナーがロックされた時のハンドルの水平位置の下にあることを特徴とする装置。
【請求項６】
請求項１または２に記載のコンテナーロックレバー防犯装置において、前述のガイド凹溝の幅は前述のボスのガイド凹溝に入る方向の幅よりやや大きいことを特徴とする装置。
【請求項７】
請求項３に記載のコンテナーロックレバー防犯装置において、前述のガイド凹溝の幅は前述のボスのガイド凹溝に入る方向の幅よりやや大きいことを特徴とする装置。
【請求項８】
請求項１に記載のコンテナーロックレバー防犯装置において、前述の角度は前述のハンドルがブラケット台とブラケットカバーの間を回転できる角度より大きいことを特徴とする装置。
【発明の詳細な説明】
【技術分野】
【０００１】
本発明はコンテナーロックレバー防犯装置に関するものである。
【背景技術】
【０００２】
図１に示すのは、現在汎用されているコンテナーロックレバー防犯装置である。この装置はロックレバー１、ハンドル台２、リベット３、コップ型ワッシャー４、ブラケットカバー５、ブラケット台６、税関封印７及びハンドル８により構成されている。ハンドル台２はロックレバー１に固定され、ハンドル８の先端とＵ字型ハンドル台２にリベット穴が設けられており、ハンドル８はリベット３を介してハンドル台２と連結されている。コンテナーのドアが閉まった時に、ハンドル８はブラケット台６のスロットに嵌め込まれ、ブラケットカバー５を回しおろした後、税関の職員が税関封印７をブラケットカバー５とハンドル穴に通す。そして、封印両端を接合する。ハンドル８とハンドル台２はリベット３により連結されている為、リベット３が破壊された後、ハンドルはハンドル台から外れやすくなる。図２を参照する。この為、犯罪者はコンテナーのこの欠点を利用し、税関封印を損害しない状態で貨物を盗み取ることが多い。
【０００３】
国内従来の防犯ハンドルは、その主な原理として、ハンドル取り付け位置の正面にブラケット台支えスロットの左側側面に近づけて、または左側上表面の近くに一つのボスを設けて、このボスでハンドルがブラケット台スロットを右へ向かってずれることを防いでいる。この為、リベットが破壊された時にも、ボスはハンドルがハンドル台から外れることを有効に防ぐことができ、これによりコンテナードアを開けることができない。
【０００４】
但し、ハンドルにおけるボスは露出している為、破壊された後にはハンドルがハンドル台から外れることを有効に防ぐことができなくなり、犯罪者がボスを取り壊して盗む機会はまだある。
【発明の概要】
【発明が解決しようとする課題】
【０００５】
本発明が解決しようとする技術問題は、リベットが破壊された後にもハンドルがハンドル台から外れることを有効に防ぐことができ、また内蔵構造により、その構造に対する破壊が出来ない様にし、コンテナーの安全性を高めるコンテナーロックレバー防犯装置を提供することである。
【課題を解決するための手段】
【０００６】
上記の技術問題を解決する為に、本発明はコンテナーロックレバー防犯装置において、コンテナーのドアに取り付け、ロックレバー、ハンドル台、リベット、ハンドル、ブラケット台及びブラケットカバーを含み、このハンドル台はＵ字型部材または鞘状部材により構成され、この部材にはハンドルの先端を差し込む一つの内腔が設けており、内腔に対応する両側壁の面にリベット穴が設けており、前述の両側壁の一端はドアのロックレバーに固接され、このハンドルの先端にハンドル台とヒンジ連結するリベット穴が設けられており、コンテナーがロックされた時に、前述のハンドルの先端はハンドル台の内腔に差し込み、またリベットを介してこのハンドル台にかしめられ、ハンドルのもう一端はブラケット台とブラケットカバーの間に留められており、その中、ハンドルの先端のリベット穴のそばに前述のハンドル台の側壁と対応する面にボスが設けられており、前述のハンドル台の側壁の内側に前述のハンドルのボスをハンドル台の内腔に入らせるガイド凹溝が開けられており、前述のハンドル台の側壁の内側には前述のハンドルが前述のハンドル台にかしめられた後に前述のボスをリベットを軸にして回転させる為の回転溝も開けられており、前述のガイド凹溝と前述の回転溝は連通しており、前述のリベットでハンドルとハンドル台をかしめる時に、前述のボスは前述のガイド凹溝から外れて回転溝に入り、コンテナーがロックされた時に、前述のハンドルのもう一端はボスを連れて回転溝内を一定の角度を回転させてから固定されることを特徴とするコンテナーロックレバー防犯装置を提供する。
【０００７】
本発明はガイド凹溝及び回転溝が付いた防犯ハンドル台とボスが付いた防犯ハンドルを採用することにより、コンテナーハンドル、ハンドル台のリベットが取り壊されたとしても、ハンドル台の内側のガイド凹溝と回転溝はハンドルのボスとの隠蔽性が良い為、破壊されることはない。また、コンテナーがロックされた時に、前述のボスは前述のガイド凹溝から外れて一定の角度を回転した後回転溝内に留まる為、外れるにはガイド凹溝から戻らなければならない。こうしてハンドルはハンドル台から外れることができなくなるので、コンテナーを開けることができず、盗難を防止し、コンテナー貨物の安全を守ることはできる。
【図面の簡単な説明】
【０００８】
【図１】図１はリベットを切り外す前の従来の組み立て概要図である。
【図２】図２はリベットを切り外した後の従来の組み立て概要図である。
【図３】図３は本発明の両面ボスの付いたハンドル構造の正面図である。
【図４】図４は本発明の両面ボスの付いたハンドル構造の底面図である。
【図５】図５は本発明の両面ボスの付いたハンドル構造の上面図である。
【図６】図６は本発明の片面ボスの付いたハンドル構造の正面図である。
【図７】図７は本発明の片面ボスの付いたハンドル構造の底面図である。
【図８】図８は本発明の両面溝の付いたハンドル台の構造図である。
【図９】図９は本発明の片面溝の付いたハンドル台の構造図である。
【図１０】図１０は本発明の使用時の構造概要図である。
【図１１】図１１は本発明の両ボスの付いたハンドルとハンドル台の組み立て構造概要図である。
【図１２】図１２は本発明の一ボスの付いたハンドルとハンドル台の組み立て構造概要図である。
【発明を実施するための形態】
【０００９】
以下、図面と実施例を用いて本発明について更に説明する。
【００１０】
図３〜７に示すのは、本発明のハンドル構造の概要図である。図３〜５に示すのは、それぞれ本発明の両面ボスの付いたハンドル構造の正面図、底面図と上面図である。図に示す様に、ハンドル８の上下両面のリベット穴９のそばに四つのボス10、11、12及び13が設けられており、これらはハンドル８の長さ方向における中心軸線に位置する。図６、７に示すのは、それぞれ本発明の片面ボスの付いたハンドル構造の正面図と上面図である。図に示す様に、ハンドル８の上面のリベット穴９のそばに二つのボス14、15が設けられており、これらはハンドル８の長さ方向における中心軸線に位置する。
【００１１】
もちろんハンドル８におけるボスの設置については必要に応じて設すればいいが、通常は一つだけのボスを設定してもいいし、二つ以上のボスを設定してもいい。なお、必要に応じてハンドル８の一つの面にボスを設定してもいいし、必要に応じて二つの面ともにボスを設置してもいい。
【００１２】
図８、９に示すのは、本発明の防犯ハンドル台の構造図である。図８に示すのは本発明の両面溝の付いたハンドル台の構造図である。その中、図８．ａはハンドル台の一部断面の正面図、図８．ｂはハンドル台の左側面図、図８．ｃはハンドル台のリベット穴を沿った断面図である。ハンドル台２の両側壁１６、１７の内側ともにガイド凹溝２０と回転溝１９が設けられており、その中に回転溝１９はリベット穴１８と同心の円溝である。
【００１３】
図９に示すのは、本発明の片面溝の付いたハンドル台の構造図である。その中、図９．ａはハンドル台の一部断面の正面図、図９．ｂはハンドル台の左側面図、図９．ｃはハンドル台のリベット穴を沿った断面図である。ハンドル台２の側壁１６の内側にガイド凹溝２０と回転溝１９が設けられており、その中に回転溝１９はリベット穴１８と同心の円溝であるが、側面壁１７の内側にはガイド凹溝と回転溝を何も設けられてない。
【００１４】
回転溝１９はハンドル台のリベット穴の側に溝壁を設けなくてもいい。例えば図８、９において、リベット穴１８と同心の円溝である。この様にすると加工しやすくなり、一つの凹み穴を加工すればいい。当然必要に応じて両溝壁を設けてもいい。
【００１５】
図１０に示すのは、本発明の使用時の構造概要図である。従来の取り付け状態と同様に同じ、ハンドル台２はロックレバー１に固定され、ハンドル８の先端とＵ字型ハンドル台２ともにリベット穴が設けられており、ハンドル８はリベット３を介してハンドル台２と連結される。コンテナーのドアが閉まった時に、ハンドル８はブラケット台６のスロットに嵌め込まれ、ブラケットカバー５を回しおろした後、税関の職員が税関封印７をブラケットカバー５とハンドル穴に通す。
【００１６】
従来と違うのは、ハンドル８がハンドル台２に入る時に、ハンドル８にボス１４、１５がある為、ハンドル台２のガイド凹溝２０よりハンドル台２の内腔に入らなければならない。リベット３を取り付けた後にコンテナーが閉まった時に、ボス１４、１５はハンドル台２の回転溝１９を回って一定の角度を回転した後、ハンドル８のもう一端がブラケット台６内に固定される。
【００１７】
図１０において、ガイド凹溝２０の開口の位置は垂直下向きである。当然ハンドル２及びボス１４、１５が入れる位置に開けられてもいい。例えば、水平位置以下及び垂直位置以上である。
【００１８】
また、ボス１４、１５はガイド凹溝２０よりしか出入りできない為、コンテナーが閉まった後、その際のボス１４、１５はもう回転溝１９の中に位置する。この時、もしリベットが取り壊されると、ボス１４、１５の働きでハンドル８はハンドル台２内の回転溝内に固定されている為、取り出すにはハンドル８を一定の角度を回転し、ガイド凹溝２０内に回し戻させた上、更にガイド凹溝２０に沿って取り出さなければならない。こうする為には十分な横方向と縦方向の移動を行わなければならないが、ハンドルの移動はハンドル台２とブラケット台６の制限により、ブラケット台上の税関封印７を破壊しない限り、上記の移動をすることはほとんど不可能である。
【００１９】
図１１に示すのは、本発明の両ボスの付いたハンドルとハンドル台の取り付け構造概要図である。ハンドル８はリベット３でハンドル台にかしめされ、ハンドル台の側壁１６，１７ともにガイド凹溝２０と回転溝１９が設けられている。断面の状況から見て、ハンドル８のボス２１，２２はハンドル台２の内側のガイド凹溝２０と回転溝１９にあり、またガイド凹溝２０と回転溝１９の隠蔽性が非常によくて破壊できない為、犯罪者はコンテナーのドアを開けることができず、貨物の盗難を防止することはできる。これにより、本発明はロックレバーの安全性が十分に保証できた。
【００２０】
図１２に示すのは、本発明の一ボスの付いたハンドルとハンドル台の取り付け構造概要図である。ハンドル台の側壁１６にガイド凹溝２０と回転溝１９が設けられ、ハンドルに一つだけのボス２５が設けられている。側壁１７にはガイド凹溝と回転溝が設けられていない。一つのボス２５しかないが、ガイド凹溝２０と回転溝１９の隠蔽性が非常によくて破壊できない為、犯罪者はコンテナーのドアを開けることができない。
【産業上の利用可能性】
【００２１】
本発明は既存の技術に対する改善である。本発明はガイド凹溝と回転溝の付いた防犯ハンドル台とボスの付いた防犯ハンドルを採用することにより、コンテナーハンドル、ハンドル台のリベットが取り壊されたとしても、ハンドル台の内側のガイド凹溝と回転溝はハンドルのボスとの隠蔽性が良い為、破壊することはできない。また、コンテナーがロックされた時に、前述のボスは前述のガイド凹溝から外れて一定の角度を回転した後回転溝内に留まる為、外れるにはガイド凹溝から戻さなければならない。こうしてハンドルはハンドル台から外れることができなくなるので、コンテナーを開けることができず、盗難を防止し、コンテナー貨物の安全を守ることができる。
【図１】
2010513153.tif 000003
【図２】
2010513153.tif 000004
【図３】
2010513153.tif 000005
【図４】
2010513153.tif 000006
【図５】
2010513153.tif 000007
【図６】
2010513153.tif 000008
【図７】
2010513153.tif 000009
【図８】
2010513153.tif 000010
【図９】
2010513153.tif 000011
【図１０】
2010513153.tif 000012
【図１１】
2010513153.tif 000013
【図１２】
2010513153.tif 000014
【国際調査報告】
2010513153.tif 000015
2010513153.tif 000016
2010513153.tif 000017
2010513153.tif 000018
2010513153.tif 000019
2010513153.tif 000020
2010513153.tif 000021
2010513153.tif 000022